(57)【要約】【課題】戸先側の側端部に手を掛けやすくして引戸を開けやすくした引戸装置を提供する。【解決手段】引戸１０は、戸本体部１１と、戸本体部１１の戸先側の側端部１１ａより、戸本体部１１の高さ方向の略全長にわたって側方に突出した、柔軟材料よりなる手挿入部１２とを備えている。この手挿入部１２は、戸本体部１１の表裏面側より、戸本体部１１の厚さ方向の内方への手指５の押圧、挿入を可能とされている。【選択図】図１
2018178642.tif 000002
【特許請求の範囲】
【請求項１】
開口部に設置される引戸を有した引戸装置において、
前記引戸は、戸本体部と、該戸本体部の戸先側の側端部より、前記戸本体部の高さ方向の略全長にわたって側方に突出した、柔軟材料よりなる手挿入部とを備えており、
前記手挿入部は、前記戸本体部の表裏面側より、前記戸本体部の厚さ方向の内方への手指の押圧、挿入を可能とされていることを特徴とする引戸装置。
【請求項２】
請求項１において、
前記手挿入部の戸幅方向の突出寸法を残した状態で、前記戸本体部を停止させるようにしたストッパーをさらに備えていることを特徴とする引戸装置。
【請求項３】
請求項１または２において、
前記手挿入部は弾性部材よりなり、高さ方向において複数に分割されていることを特徴とする引戸装置。
【発明の詳細な説明】
【技術分野】
【０００１】
本発明は、開口部に設置される引戸を有した引戸装置に関する。
【背景技術】
【０００２】
従来には、把手に代え、あるいは加えて、戸本体部の戸先側に、戸本体部の表裏間が貫通した、手指を挿入できる手挿入部を有した引戸装置が提案されている（たとえば、特許文献１参照）。このような手挿入部には、手指が不自由な人でも手掛けがしやすく、簡易に引戸を開けることができる。この手挿入部は、ゴム材等の柔軟材料で塞いであり、必要なときに手指で押し開けができるようになっている。
【先行技術文献】
【特許文献】
【０００３】
【特許文献１】特開２００９−６８１８９号公報
【発明の概要】
【発明が解決しようとする課題】
【０００４】
しかしながら、上記文献のものは、手挿入部が戸本体部の高さ方向のおおむね中央に把手代わりに設けてあるため、手指を上下方向の特定の位置に移動しづらい障がい者にとっては、かならずしも便利であるとは言えない。
【０００５】
本発明は、このような事情を考慮して提案されたもので、その目的は、戸先側の側端部のいずれの高さ位置であっても手を掛けやすく引戸を開けやすくした引戸装置を提供することにある。
【課題を解決するための手段】
【０００６】
上記目的を達成するために、本発明の引戸装置は、開口部に設置される引戸を有した引戸装置において、引戸は、戸本体部と、戸本体部の戸先側の側端部より、戸本体部の高さ方向の略全長にわたって側方に突出した、柔軟材料よりなる手挿入部とを備えており、手挿入部は、戸本体部の表裏面側より、戸本体部の厚さ方向の内方への手指の押圧、挿入を可能とされていることを特徴とする。
【発明の効果】
【０００７】
本発明の引戸装置によれば、上述した構成となっているため、戸先側の側端部のいずれの高さ位置であっても手を掛けやすくでき、引戸を開けやすくすることができる。特に手指の不自由な人に有効とされる。
【図面の簡単な説明】
【０００８】
【図１】（ａ）は本発明の一実施形態に係る引戸装置の正面図、（ｂ）は手挿入部の他例を示す要部拡大正面図である。
【図２】（ａ）は図１のＸ−Ｘ線に対応した一部省略横断面図、（ｂ）は同引戸装置の使用の態様例を示した要部拡大横断面図である。
【発明を実施するための形態】
【０００９】
以下に、本発明の実施の形態について、添付図面を参照しながら説明する。以下の実施形態では、図２（ａ）に示したＹ方向から引戸１０に対面した状態を基準として、手前側を前方、逆側を後方とする。
【００１０】
この引戸装置１は、開口部３に設置される引戸１０を有した引戸装置１である。この引戸１０は、図１および図２に示すように、戸本体部１１と、戸本体部１１の戸先側の側端部１１ａより、戸本体部１１の高さ方向の略全長にわたって側方に突出した、柔軟材料よりなる手挿入部１２とを備えている。この手挿入部１２は、戸本体部１１の表裏面側より、戸本体部１１の厚さ方向の内方への手指５の押圧、挿入を可能とされている。
【００１１】
本実施形態では、図１に示すように、引戸１０が収納される、正面視で開口部内に配されている壁として袖壁２６を有した引戸構造を例示している。この開口部３内において袖壁２６を設けていない側の開口部３の略半分に出入り口が形成されている。
【００１２】
開口部３は、図１に示すように、正面視で略矩形状とされている。開口部３に設けた戸枠２０は、上枠２１と、この上枠２１の長手方向の両側に配設される両縦枠（戸先側縦枠２２および戸尻側縦枠２３）と、これら縦枠間に配設される中方立２４とを備えている。この戸枠２０に引戸１０が建て付けられる。
【００１３】
上枠２１は、図２（ａ）に２点鎖線で示すように、開口部３の開口幅方向に沿って長尺の帯板状とされている。この上枠２１は、本実施形態では、長手方向の袖壁２６を配した側の見込み寸法が出入り口側の見込み寸法よりも小さくなるように形成されている。この上枠２１には引戸１０の上端部が入り込むガイド溝（不図示）が設けてある。
【００１４】
両側の縦枠は、引戸１０の戸先側に配設される戸先側縦枠２２と、引戸１０の戸尻側に配設される戸尻側縦枠２３とよりなる。これらの縦枠は、開口部３の開口高さに応じた長尺の帯板材よりなる。また、本実施形態では、戸尻側縦枠２３の見込み寸法が袖壁２６に応じて戸先側縦枠２２の見込み寸法よりも小さくなっている。これらの縦枠の互いに向き合う各内側面に、相向き合うように開口した、引戸１０の戸幅方向の側端を受け入れる戸じゃくり溝２２ａ、２３ａが長手方向に沿って形成されている。
【００１５】
また、図２（ａ）に示すように、両縦枠間の床には両戸じゃくり溝２２ａ、２３ａ間に端部が嵌り込むようにレール体３０が床に埋設されている。このレール体３０の上面には、引戸１０の戸車１４が入り込んだ状態で戸幅方向に移動自在とするためのレール溝３１が形成してある。このレール溝３１は、レール体３０の全長に対応したものとはなっておらず、戸先側の所定寸法分は形成されていない。
【００１６】
中方立２４は、開口部３の開口高さに応じた長尺の帯板材よりなる。この中方立２４は、図２（ａ）に示すように袖壁２６に隣接するように配設されており、その見込み寸法は袖壁２６の壁厚よりもやや大きい。この中方立２４の前端部２４ａ（引戸１０に対面する側端部）には、引戸１０の後面に摺るように接するモヘア材などよりなる隙間遮蔽部材２４ｂが中方立２４の略全長に設けてある。
【００１７】
引戸１０は、下端部の戸先側と戸尻側とに戸車１４、１４を有している。この引戸１０は、上記のように構成された戸枠２０に、戸幅方向に沿ってスライド自在となるように、上部では戸本体部１１の上端部が上枠２１のガイド溝に入り込み、下部では下端部に取り付けた戸車１４、１４がレール溝３１に入り込んだ状態に建て付けられる。
【００１８】
また、引戸１０は、枠材（不図示）や表裏のパネル材（不図示）などより構成された戸本体部１１と、戸本体部１１の戸先側の側端部１１ａに取り付けた手挿入部１２とを有してなる。この手挿入部１２は、上述したように戸本体部１１の高さ方向の略全長に対して設けてある。また、戸本体部１１の表裏面には把手１５が設けてある。
【００１９】
手挿入部１２は、図２（ａ）に示すように、戸本体部１１の表裏面の両方に、戸本体部１１との間で面一となるように、それぞれに突出先端が同位置となるような同幅寸法の手挿入片１２ａ、１２ａが配設してある。図２（ａ）（ｂ）に示すように、それぞれの手挿入片１２ａ、１２ａは、内方に曲げやすくするために、手挿入片１２ａ、１２ａ間に空間１３を設けることが望ましい。
【００２０】
また、手挿入部１２（手挿入片１２ａ、１２ａ）は上述したように柔軟材料よりなり、たとえばゴム材などの弾性部材が好適に使用され得る。このゴム材としては、戸本体部１１の高さ寸法に相当する長尺のものを用いればよい。また、この手挿入部１２の幅寸法は、手指５の最大厚みを考慮して、一般的な手すりと壁の間隔とおおむね同寸法（３０〜５０ｍｍ）とすることが望ましい。なお、手挿入部１２の材料としては、ゴム材には限られず、スポンジ材やモヘア材などの種々の柔軟材料を使用することもできる。
【００２１】
このように、柔軟な手挿入部１２が戸本体部１１の戸先側の側端部１１ａに設けてあるため、手挿入片１２ａ、１２ａを表裏側より手指を押し入れることでこれらを変形させることができる（図２（ｂ）参照）。そのため、引戸１０に手が掛けやすくなり、引戸１０を（図２（ｂ）の矢印方向に）開けやすくすることができ、把手１５を操作しにくい場合の把手１５代わりとなり得る。特に、手指５を深く挿入できるため、手指５が曲がらない不自由な人にとって開け操作のための力がかけやすくなる。また、手挿入部１２が高さ方向の全長に設けてあるため、どの位置でも操作することができ、さまざまな利用者やさまざまな使用態様に対応することができる。
【００２２】
また、手挿入片１２ａをより柔軟に構成するために、図１（ｂ）に示すように、高さ方向に小さく（たとえば１０〜３０ｃｍ）分割された分割片１２ｂ、１２ｂを個別に押圧できるように、分離状態に取り付けるようにしてもよい。なお、分割されたものではなく、戸先側が上下に分かれるような切れ目を設けたものであってもよい。このような構成によれば、手挿入部１２（手挿入片１２ａ）がより柔らかくなるため、手指５の挿入がしやすくなる。
【００２３】
手挿入部１２は引戸１０が閉止した状態では、戸本体部１１と戸先側縦枠２２との間を隙間なく塞ぐことが美観保持のためには望ましい。したがって、戸本体部１１の略全長に対して同幅寸法の手挿入部１２を取り付けることが望ましい。また、手挿入部１２（手挿入片１２ａ）を分割片１２ｂ、１２ｂで構成する場合も、分割片１２ｂ、１２ｂに隙間がほとんどできないようにすることが望ましい。
【００２４】
また、手挿入部１２は柔軟であるため、閉じ操作の際に手挿入部１２の戸先側の先端が戸じゃくり溝２２ａに当たったときに変形しないようにすることが望ましい。そのために、手挿入部１２の先端が戸じゃくり溝２２ａの溝底に接触または近接した位置で、引戸１０がそれ以上、戸先側に移動しないように、本実施形態の引戸装置１はストッパー３２をさらに備えている。
【００２５】
本実施形態では、レール体３０の戸先側の所定寸法分にレール溝３１が形成されていないため、レール溝３１の戸先側の終端が戸先側の戸車１４のストッパー３２（移動規制手段）として作用するようになっている。ストッパー３２としては、このものには限られず、種々の移動規制手段を利用でき、たとえば戸本体部１１の下端部における所定部位が床の所定位置に到達したときに、磁力により下方より突起よりなるストッパーが上方に突出して戸本体部１１の移動を停止するようにしたものでもよい。
【００２６】
以上の実施形態の引戸装置１は、戸本体部１１の下端部に取り付けた戸車１４がレール溝３１を走行するものであるが、ランナーを戸本体部の上端部に取り付けた上吊りの引戸装置であってもよい。上吊りのものでは、ストッパーとしてはたとえばランナーの移動を規制するものを設ければよい。
【００２７】
以上のような手挿入部１２付き引戸１０を有した引戸装置１は、引き違いのものにも適用が可能であることは言うまでもない。この場合、両方の縦枠のそれぞれに当接する引戸のそれぞれに図１等に示した手挿入部１２を設ければよい。
【符号の説明】
【００２８】
１          引戸装置
３          開口部
５          手指
１０        引戸
１１        戸本体部
１１ａ      戸先側の側端部
１２        手挿入部
３２        ストッパー
【図１】
2018178642.tif 000003
【図２】
2018178642.tif 000004